(57)【要約】【課題】レーザ光で書き込まれた情報を書き込んだ利用者を、明確に把握することが可能な表示システムを提供すること。【解決手段】表示装置と表示制御装置と光出射装置とからなり、表示装置が、表示画面に情報を表示する表示部と、前記表示部の表示画面の近傍に、表示画面に照射されたレーザ光を検出するための複数の光センサを配置したレーザ検出部とを備え、光出射装置が、利用者を特定する識別情報を含むレーザ光を出力するレーザ出力部を備え、表示制御装置は、レーザ光を検出した光センサの位置からレーザ光が照射された表示画面の位置を算出する位置算出部と、前記光センサが検出したレーザ光に含まれる識別情報を取得する受信情報取得部と、位置算出部によって算出された位置に、取得された識別情報に基づいて、利用者を特定する情報を各利用者ごとに異なるように表示する表示制御部とを備えたことを特徴とする。【選択図】図１
2009251736.tif 000002
【特許請求の範囲】
【請求項１】
表示装置と表示制御装置と光出射装置とからなる表示システムにおいて、
表示装置が、表示画面に情報を表示する表示部と、前記表示部の表示画面の近傍に、表示画面に照射されたレーザ光を検出するための複数の光センサを配置したレーザ検出部とを備え、
光出射装置が、利用者を特定する識別情報を含むレーザ光を出力するレーザ出力部を備え、
表示制御装置は、レーザ光を検出した光センサの位置からレーザ光が照射された表示画面の位置を算出する位置算出部と、前記光センサが検出したレーザ光に含まれる識別情報を取得する受信情報取得部と、前記位置算出部によって算出された位置に、前記取得された識別情報に基づいて、前記利用者を特定する情報を各利用者ごとに異なるように表示する表示制御部とを備えたことを特徴とする表示システム。
【請求項２】
前記光出射装置が複数存在する場合、前記受信情報取得部が、各光出射装置ごとに異なる識別情報を取得し、前記表示制御部が、前記異なる識別情報ごとに異なる表示形態で、利用者を特定する情報を表示することを特徴とする請求項１の表示システム。
【請求項３】
前記表示される利用者を特定する情報が、利用者ごとに異なるオブジェクト画像であることを特徴とする請求項１の表示システム。
【請求項４】
前記オブジェクト画像の形状，色および大きさのいずれかが、利用者ごとに異なる図形データであることを特徴とする請求項３の表示システム。
【請求項５】
前記表示される利用者を特定する情報が、前記オブジェクト画像の近傍に表示される利用者名を含むことを特徴とする請求項３の表示システム。
【請求項６】
前記表示される利用者を特定する情報が、前記受信情報取得部によって取得された識別情報の順番によって異なるオブジェクト画像であることを特徴とする請求項１の表示システム。
【請求項７】
前記取得された識別情報またはその識別情報から取得される利用者を特定する情報を、レーザ光が照射された表示画面上の位置を特定する位置情報と対応づけて記憶する記憶部をさらに備えたことを特徴とする請求項１の表示システム。
【請求項８】
レーザ光が照射された表示画面の位置とそのレーザ光に含まれた識別情報とを対応づけて記憶する記憶部をさらに備え、前記光出射装置から出力されたレーザ光によって表示部の表示画面の所望の位置を照射した場合に、その照射位置と対応づけて記憶部に記憶されていた識別情報に基づいて、その識別情報に対応する利用者を特定する情報を選択して表示することを特徴とする請求項１の表示システム。
【発明の詳細な説明】
【技術分野】
【０００１】
この発明は、表示システムに関し、特に、表示画面上の位置の指示と認証情報等の情報入力とが可能な表示システムに関する。
【背景技術】
【０００２】
従来、多人数の出席者のもとで行う会議やプレゼンテーション等では、資料の説明のためにＯＨＰ（オーバヘッドプロジェクタ）を利用したり、パソコン等に保存されたファイルをプロジェクタを介してスクリーン上に投影することが行われている。
また、スクリーン上に表示された資料についてより効果的な指示や説明ができるようにするために、説明資料を投影したスクリーンに、レーザ光を感知するセンサをマトリクス状に設置し、レーザポインタから放射されたレーザ光が当たったスクリーン上の座標位置を、センサによって検出する画像表示装置が提案されている（特許文献１参照）。
【特許文献１】特開平４−３７１０６３号公報
【発明の開示】
【発明が解決しようとする課題】
【０００３】
上記のような画像表示装置やプロジェクタを利用する会議では、資料を投影するスクリーンは大画面で、画像表示装置等は説明者の位置とは離れたところに設置されることが多い。
上記特許文献１に記載のものでは、説明者がレーザポインタから放射されたレーザ光によって、スクリーン上の特定の位置をポイントすることにより、ポイントされた位置の座標が検出され、そのポイント位置に矢印のシンボルＭが表示されるので、説明者が説明しようとする箇所を効果的に指示することができる。
【０００４】
また、会議を行う場合、表示装置のスクリーン上に複数人で書き込みを行なう場合がある。このとき、各書き込みがどの人間によって書き込まれたものであるかが記録されていれば、書き込み内容が誰の意見であるかが明確となり、会議の進行においても会議後の記録としても好ましい。しかしながら、書き込みを行いながら誰の意見かを同時に書き込む作業は会議の進行を妨げる。すなわち、書き込みを行う人物が意図しなくても、書き込みを行う際に、その人物を特定する識別情報が自動的にその書き込みに付属して記録されることが好ましい。
【０００５】
そこで、この発明は、以上のような事情を考慮してなされたものであり、複数の説明者がレーザポインタを用いて表示画面上に書き込みを行った場合において、各説明者を特定する識別情報も自動的に表示および記録することが可能な表示システムを提供することを課題とする。
【課題を解決するための手段】
【０００６】
この発明は、表示装置と表示制御装置と光出射装置とからなる表示システムにおいて、表示装置が、表示画面に情報を表示する表示部と、前記表示部の表示画面の近傍に、表示画面に照射されたレーザ光を検出するための複数の光センサを配置したレーザ検出部とを備え、光出射装置が、利用者を特定する識別情報を含むレーザ光を出力するレーザ出力部を備え、表示制御装置は、レーザ光を検出した光センサの位置からレーザ光が照射された表示画面の位置を算出する位置算出部と、前記光センサが検出したレーザ光に含まれる識別情報を取得する受信情報取得部と、前記位置算出部によって算出された位置に、前記取得された識別情報に基づいて、前記利用者を特定する情報を各利用者ごとに異なるように表示する表示制御部とを備えたことを特徴とする表示システムを提供するものである。
【０００７】
これによれば、位置算出部によって算出された位置すなわちレーザ光を照射した位置に、そのレーザ光に含まれていた識別情報に基づいて利用者を特定する情報を表示するので、利用者ごとに異なる識別情報を含めてレーザ光を出力することにより、レーザ光を用いて表示画面上に書き込まれた情報を書き込んだ利用者を明確に把握することができる。
【０００８】
また、前記光出射装置が複数存在する場合、前記受信情報取得部が、各光出射装置ごとに異なる識別情報を取得し、前記表示制御部が、前記異なる識別情報ごとに異なる表示形態で、利用者を特定する情報を表示することを特徴とする。
これによれば、異なる利用者が異なる光出射装置を用いることにより、異なる表示形態で利用者特定情報を表示するので、書き込まれた情報ごとに書き込んだ利用者を区別できる。
【０００９】
また、前記表示される利用者を特定する情報は、予め設定された利用者ごとに異なるオブジェクト画像としてもよい。
ここで、前記オブジェクト画像の形状，色および大きさのいずれかを、利用者ごとに異なる図形データとしてもよい。形状のみ異ならせてもよいし、形状と色とを異ならせてもよいし、あるいは形状，色，大きさのすべてを異ならせてもよい。
【００１０】
さらに、前記表示される利用者を特定する情報には、前記オブジェクト画像の近傍に表示される利用者名を含めてもよい。利用者名そのものが表示されれば、より容易かつ明確に書き込んだ者を把握できる。
また、前記表示される利用者を特定する情報は、前記受信情報取得部によって取得された識別情報の順番によって異なるオブジェクト画像としてもよい。
さらに、前記取得された識別情報またはその識別情報から取得される利用者を特定する情報を、レーザ光が照射された表示画面上の位置を特定する位置情報と対応づけて記憶する記憶部をさらに備えてもよい。
これによれば、レーザ光を用いて情報を書き込んだ後、たとえば、会議終了後など、利用者の意図したときにいつでも、記憶された情報を確認することにより、その情報を書き込んだ利用者を明確に把握することができる。
【００１１】
また、レーザ光が照射された表示画面の位置とそのレーザ光に含まれた識別情報とを対応づけて記憶する記憶部をさらに備え、前記光出射装置から出力されたレーザ光によって表示部の表示画面の所望の位置を照射した場合に、その照射位置と対応づけて記憶部に記憶されていた識別情報に基づいて、その識別情報に対応する利用者を特定する情報を選択して表示するようにしてもよい。これによれば、利用者の意思により、必要なときに利用者を特定する情報を表示させることができる。
【発明の効果】
【００１２】
この発明によれば、利用者を特定する情報を表示または記憶するので、表示画面に照射されるレーザ光を用いて書き込まれた情報が、どの利用者によって書き込まれたかを明確に把握することができ、会議等における利用者の操作性を向上でき、会議等をスムーズに進行することができる。また、書き込んだ利用者の確認は、会議進行中や会議終了後でも可能である。
【発明を実施するための最良の形態】
【００１３】
以下、図面を使用して本発明の実施の形態を説明する。なお、以下の実施例の記載によって、この発明が限定されるものではない。
＜この発明の表示システムの構成＞
図１に、この発明の表示システムの構成ブロック図を示す。
この発明の表示システムは、主として、表示装置１と、表示制御装置２と、光出射装置４と、ＩＣカード５とから構成される。
表示装置１は、情報を表示する表示部１１を備え、たとえば、ＬＣＤ，ＰＤＰなどを用いることができる。また、スライドやプロジェクタから発せられた光の映像を投影するスクリーンを用いることもできる。表示される情報としては、たとえば、会議やプレゼンテーションで用いられる説明資料（文書，図面，グラフなど）である。また、表示装置１は、情報を表示する表示部１１の他に、レーザ検出部１２を備える。
【００１４】
レーザ検出部１２は、光出射装置４から出射されたレーザ光７を受光するセンサモジュールであり、レーザ光を電気信号に変換する光センサをマトリクス状に多数配置したものである。センサモジュール１２は、表示部１１の表示画面に近接して、平行に設けられる。
表示画面にレーザ光７が照射されると、レーザ光が当たった画面位置に対応して配置された光センサによって、レーザ光７が検出される。そして、レーザ光７が検出された光センサの位置を認識することにより、レーザ光が照射された表示画面上の座標（Ｘ座標，Ｙ座標）が、後述する位置算出部２３によって算出される。
【００１５】
表示部１１がたとえばＬＣＤの場合、液晶層と、バックライト板との間に、センサモジュール１２が設けられる。センサモジュール１２は、Ｘ−Ｙ座標平面上でマトリクス状に一定間隔で配置された複数の光センサから構成される。各光センサのＸ−Ｙ座標平面上での位置は、レーザ光が照射されたときに発生するＸ座標を特定する電気信号Ｓｘと、Ｙ座標を特定する電気信号Ｓｙとから算出される。また、表示部１１にＬＣＤが用いられる場合は、バックライトからの光が、直接光センサに入射しないように、光センサとバックライトの間に微小な遮光層が形成される。
表示部１１がスクリーンの場合は、そのスクリーン表面上にセンサモジュール１２が設けられる。
【００１６】
図１において、表示制御装置２は、主として、表示制御部２１，出力情報生成部２２，位置算出部２３，受信情報取得部２４，認証部２５，ファイル検索部２６，アプリ実行部２７，記憶部３０とから構成される。
表示制御装置２は、主としてＣＰＵ，ＲＯＭ，ＲＡＭ，Ｉ／Ｏコントローラ，タイマー，グラフィックコントローラ（ＬＳＩ）等からなるマイクロコンピュータにより実現され、ＲＯＭ等に記憶された制御プログラムに基づいて、ＣＰＵが各種ハードウェアを動作させることにより、表示制御装置２の種々の機能が実現される。
【００１７】
表示制御部２１は、表示させる情報を表示部１１に出力する部分である。
出力情報生成部２２は、表示部１１に表示させる情報を生成する部分であり、たとえば、記憶部３０に予め記憶されていたファイル情報３１を読み出して、表示部１１に表示できる形式のデータに変換し、その変換後のデータを表示制御部２１に引き渡す部分である。
位置算出部２３は、レーザ検出部（センサモジュール）１２からの電気信号（Ｓｘ，Ｓｙ）を受信して、その電気信号からレーザ光が照射された表示画面上のＸ−Ｙ座標を算出する部分である。
【００１８】
受信情報取得部２４は、光センサによって受信したレーザ光７に含まれる情報を抽出する部分である。たとえば、レーザ出力部４１から出射されたレーザ光７に、利用者を特定する識別情報（ＲＩＤ）４７が重畳されている場合、その重畳された部分の受光したレーザ光の振幅や周波数の変化あるいはＯＮとＯＦＦの変化の数やタイミングを検出することにより、識別情報（ＲＩＤ）４７を抽出する。
【００１９】
レーザ光７に含まれる情報には、識別情報（ＲＩＤ）４７の他に、メニュー表示指示，ファイル選択指示，アプリケーションの実行指示，スクロール指示，ペン入力指示などの各種指示入力の情報が含まれる。
このような指示入力は、後述するように、光出射装置４に付属された特定の機能キーを押下げることにより行うことができる。
受信情報取得部２４により取得された情報は、受信情報３６として、記憶部３０に記憶される。
【００２０】
認証部２５は、この表示システムを利用する者が正当な権限を有するか否かをチェックする部分である。たとえば、レーザ検出部１２によって受信された受信情報３６のうちの識別情報ＲＩＤ４７と、記憶部３０に予め記憶されている利用者情報ＭＩＤ３４とが一致するか否かをチェックする部分である。一致した場合は、認証が成功したとみなされ、その後の処理（たとえば、ファイル選択処理）が実行される。
【００２１】
また、認証部２５は、後述するように、ファイルごとに付与された認証情報ＦＩＤ３５と受信した識別情報ＲＩＤ４７とが一致するか否かをチェックする。
ファイル検索部２６は、記憶部３０に予め記憶されているファイル情報３１の中から、選択されたファイルを読み出す部分である。
アプリ実行部２７は、選択されたアプリケーションプログラムを起動させる部分である。
たとえば、ファイル検索部２６によって読み出されたファイルに対して、そのファイルに関係づけられたアプリケーションプログラムを起動させ、そのアプリケーションプログラムが読み出されたファイルを開き、そのファイルの内容を表示部１１に表示させるような動作をする。
【００２２】
記憶部３０は、ハードディスク，不揮発性の半導体記録素子や記憶媒体等であり、この表示システムで利用される種々の情報を記憶しておく部分である。
記憶部３０には、たとえば、ファイル情報３１，表示データ３２，アプリケーションプログラム３３，利用者情報ＭＩＤ３４，認証情報ＦＩＤ３５，受信情報３６などが記憶される。
ファイル情報３１は、たとえばプレゼンテーション等の説明資料であり、文書，図面，グラフ，静止画像，動画などである。
【００２３】
表示データ３２は、表示部１１に表示されるべきデータであり、たとえば、表示されるファイルを選択するためのメニュー一覧データ（ファイル一覧リスト）などが含まれる。
アプリケーションプログラム３３は、たとえば、文書作成プログラムや、画像編集および再生プログラムなどを意味する。
利用者情報ＭＩＤ３４は、この発明の表示システムを利用可能な者を特定する情報を意味し、認証部２５で比較される一方の認証情報に相当する。たとえば、この発明の表示システムを所有する会社あるいは管理する部署の所属員のＩＤコードや、氏名等の個人情報が、利用者情報ＭＩＤ３４に相当する。
【００２４】
認証情報ＦＩＤ３５は、個々のファイルごとに付与された情報であり、たとえば、そのファイルをアクセスすることが可能な者を特定する情報を意味する。
また、認証情報ＦＩＤ３５は、認証部２５が利用しようとするファイルの認証処理を行うときに比較される一方の情報であり、たとえば、ファイルの作成者を特定する情報や、そのファイルの読み出しが許可された者を特定する情報である。
【００２５】
受信情報３６は、受信情報取得部２４によって取得された情報であり、レーザ検出部１２によって検出されたレーザ光に含まれていた情報である。
たとえば、上記したように識別情報ＲＩＤ４７は受信情報３６の一つであり、認証部２５によって比較される一方の情報である。
以上のような表示制御装置２の各機能ブロックの機能は、主としてＣＰＵが、ＲＯＭ等に予め記憶された制御プログラムに基づいて、各ハードウェアを有機的に動作させることにより実現される。
【００２６】
光出射装置（レーザポインタ）４は、レーザ光７を出力する部分である。
利用者は、レーザポインタ４から出力されるレーザ光７を表示部１１に向けて照射させレーザ光７が当たった表示画面上のスポットによって、表示部１１に表示されている情報のうち特定の部分を指し示す。
レーザ光７のスポットによって示される位置にある光センサによって、レーザ光７が検出され、その位置を特定するＸ座標及びＹ座標の電気信号によって、利用者が指し示した位置が算出される。
【００２７】
レーザポインタ４は、主として、レーザ出力部４１，情報合成部４２，指示入力部４３，メモリ部４６，情報抽出部４４，通信部４５から構成される。これらの機能ブロックは、主として、ＣＰＵ，ＲＯＭ，ＲＡＭ，Ｉ／Ｏコントローラ，通信ＬＳＩ，タイマーなどを有するマイクロコンピュータにより実現される。
レーザ出力部４１は、レーザ光７を出射する部分であり、たとえばレーザダイオードが用いられる。
レーザ光７は、たとえば波長６５０ｎｍあるいは５３２ｎｍの光であり、情報合成部４２で合成された情報を含ませるために、レーザ光は出射する際にレーザ出力部４１によって変調される。
情報合成部４２は、レーザ光に含ませる出力情報を合成し、その出力情報に対応した変調光が出力されるように、レーザ出力部４１に出力指示信号を与える部分である。合成される出力情報には、指示入力部４３によって入力された指示に対応する指示情報４８や、メモリ部４６に記憶された識別情報ＲＩＤ４７が含まれる。
【００２８】
指示入力部４３は、表示制御装置２に与える指示を入力する部分であり、レーザポインタ４に設けられた機能キーに相当する。レーザポインタ４には、レーザ光の出力キー、ファイルなどのメニュー一覧表示キー，スクロールキーなどの複数の機能キーが設けられる（図６参照）。
たとえば、レーザ光の出力キーが押下げられると、指示入力部４３がどのキーが押されたかを認識し、情報合成部４２に対して、レーザ光を出力するための要求信号が伝えられる。
レーザ光の出力要求信号が与えられた情報合成部４２は、メモリ部４６に記憶された識別情報ＲＩＤ４７を読み出し、出力されるレーザ光７に、識別情報ＲＩＤ４７を合成するように出力指示信号を生成し、レーザ出力部４１に与える。レーザ出力部４１は、出力指示信号に基づいて、識別情報ＲＩＤ４７を含めたような変調されたレーザ光７を出力する。
【００２９】
また、スクロールキーが押下げられた場合は、スクロールキーが押されたことを示す信号が情報合成部４２に与えられ、情報合成部４２は、スクロールキーに対応する指示情報４８をメモリ部４６から読み出して、読み出された指示情報４８をレーザ光７に合成するような出力指示信号を生成し、レーザ出力部４１に与える。
【００３０】
メモリ部４６は、レーザポインタ４で利用する情報を記憶する部分であり、主として、識別情報ＲＩＤ４７と指示情報４８とを記憶する。
識別情報ＲＩＤ４７は、ＩＣカード５に予め記憶されている固有の情報であり、ＩＣカード５との通信によってＩＣカード５から取得される情報である。
【００３１】
ただし、各利用者ごとに異なるレーザポインタ４を使用する場合には、各レーザポインタ４ごとに予め固定的にその利用者固有の識別情報ＲＩＤ４７を記憶しておいてもよい。この場合、複数の利用者（説明者）が同時に異なるレーザポインタ４を持って、同じ表示画面を見ながら説明をすることができる。
たとえば、３人の説明者が、それぞれ別のレーザポインタを所持し、３つのレーザポインタを用いて別々に表示画面の資料を指示することができる。このとき、レーザ光で指示している者や、書き込んだ情報の説明者を特定するために、各レーザポインタから、各説明者ごとに異なる識別情報４７を含んだレーザ光を照射することが好ましい。
【００３２】
指示情報４８は、レーザ光７に含められて表示制御装置２に送信される情報であり、指示入力部４３から入力される指示に対応する情報である。
たとえば、レーザポインタ４に設けられる機能キーが７つあったとすると、各機能キーが押されたときに入力される指示にそれぞれ対応する７つの情報が指示情報４８である。
指示情報４８としては、たとえば、レーザ光出力指示，メニュー一覧表示指示，上方向スクロール指示，下方向スクロール指示，黒色ペンモード切替指示，赤色ペンモード切替指示，ペンモード解除（消去モード）指示，アプリ実行指示などがある。
【００３３】
ここで、レーザ光出力指示とは、レーザ光に情報を含めずに、単にレーザ光７を出力する指示を意味し、レーザ光７の出力開始および出力停止のための指示情報である。
利用者が特定の機能キーを押下げ、レーザ光の出力開始を意味する出力指示がレーザ出力部４１に与えられると、レーザ出力部４１から、情報を含まないレーザ光７が出力させられる。
【００３４】
あるいは、レーザ光の出力停止状態のときに、レーザ光７の出力開始を意味する出力指示をレーザ出力部４１に与える場合は、メモリ部４６に記憶された識別情報ＲＩＤ４７を読み出して、出力指示に加えてこの識別情報ＲＩＤ４７を含めたレーザ光７を出力するような出力指示信号をレーザ出力部４１に与えてもよい。この場合には、表示制御装置２が最初にレーザ光７を受光した際に、レーザ光に含まれている識別情報ＲＩＤ４７を用いた認証処理が実行される。
【００３５】
また、レーザ光７の出力開始後は、停止指示があるまでレーザ光を常時出力するものとすると、レーザ光７は、表示部１１に表示された資料の特定の個所を指し示すのに用いられる。
また、レーザ光の出力停止を示す指示情報がレーザ出力部４１に与えられると、レーザ光７の出力を停止する。レーザ光の出力の開始と停止は、同じレーザ光出力キーの押下を行うたびに交互に切替えればよい。
【００３６】
また、レーザ光７を常時出力するのではなく、特定のキーを押下げた後の数秒間あるいはキーを押下げている間だけレーザ光７を出力し、キーを離したときに出力を停止するようにした場合は、レーザ光の出力指示以外の指示（たとえば、メニュー一覧表示指示）を意味するキー入力だけがあった場合でも、その指示情報４８を含めたレーザ光を出射するようにする。すなわち、レーザ光出力キーを押下げなくても、他のそれぞれの機能キーを押下げただけで、レーザ光を出射するようにレーザダイオード４１を制御する。
また、すでにレーザ光が出射されている状態で、特定の機能キーを押下げた場合は、その機能キーに対応する指示情報を含めたレーザ光を一定時間出力するようにすればよい。
【００３７】
通信部４５は、ＩＣカード５と通信する部分である。
ＩＣカード５は、レーザポインタ４に挿入して通信する接触タイプのカードでもよいが、ユーザの利便性を高めるために、非接触タイプのカードを用いることが好ましい。
非接触タイプのＩＣカードを用いる場合は、通信部４５とＩＣカード５との通信は、Bluetoothなどの近距離無線通信で行われる。
【００３８】
情報抽出部４４は、通信部４５によって受信された無線信号から情報を抽出してメモリ部４６に記憶する部分である。
たとえば、通信部４５がＩＣカード５に記憶されていた識別情報ＲＩＤを受信した場合、受信した識別情報ＲＩＤ４７をメモリ部４６に記憶する。
【００３９】
ＩＣカード５は、カード通信部５１と識別情報ＲＩＤ記憶部５２とを備え、レーザポインタ４の通信部４５と通信を行う。
ＩＣカード５が非接触タイプのカードの場合、カード通信部５１が規定の通信プロトコルにより通信部４５と無線通信６を行い、予め記憶された識別情報ＲＩＤなどを、レーザポインタ４へ送信する。
識別情報ＲＩＤ記憶部５２には、ＩＣカードの所有者を特定する情報が予め記憶される。たとえば、所有者固有のＩＤコード，所有者の氏名、住所、生年月日などが記憶される。
メモリ部４６に記憶される識別情報ＲＩＤ４７は、ＩＣカードの識別情報記憶部５２に予め記憶されていた情報であり、たとえば、カード所有者のＩＤコードを用いることができる。
この識別情報ＲＩＤ４７は、表示制御装置２の記憶部３０に予め記憶されている利用者情報ＭＩＤ３４あるいは認証情報ＦＩＤ３５と比較される情報である。
【００４０】
＜表示システムの利用形態の実施例＞
図２に、この発明の表示システムの利用時における一実施例の概略説明図を示す。
図２において、利用者が自己の識別情報ＲＩＤが記憶されたＩＣカード５をレーザポインタ４に近づけると、無線通信６により、自己の識別情報ＲＩＤ４７がＩＣカード５から読み出され、レーザポインタ４へ送信され、そのメモリ部４６へ記憶される。
この後、レーザポインタ４を表示部１１に向けた状態で利用者がレーザポインタ４の特定の機能キーを押下げると、その機能キーに対応した指示情報４８がレーザ光７に合成され、指示情報４８を含むレーザ光７が表示部１１に向けて出力される。
たとえば、レーザ光７が出力停止状態のときにレーザ光の出力キーを押した場合、識別情報ＲＩＤ４７を含んだレーザ光７が、レーザポインタ４から出力される。
【００４１】
一方、表示装置１は、表示部１１とセンサモジュール１２とが対向配置された構造体であり、表示部１１には、表示制御装置２の表示制御部２１から与えられる表示信号により映像が表示される。
マトリクス状に配置された多数の光センサからなるセンサモジュール１２は表示画面のすぐ近傍に設けられ、表示画面に向かって照射されたレーザ光７を検出する。
レーザ光７が当たった位置の光センサから電気信号（Ｓｘ，Ｓｙ）が出力され、位置算出部２３と受信情報取得部２４に与えられる。レーザ光７に指示情報４８が含まれている場合は、出力された電気信号にその指示情報成分が含まれる。
電気信号は、光センサの位置を特定するためのＸ軸方向の位置を示す信号ＳｘとＹ軸方向の位置を示す信号Ｓｙとからなる。位置算出部２３がこの２つの信号（Ｓｘ，Ｓｙ）を認識することにより、どの位置の光センサによってレーザ光７が検出されたかがわかる。
【００４２】
また、出力された電気信号に、レーザ光７に含まれていた指示情報４８に対応した信号成分を含む場合は、受信情報取得部２４は、この信号成分の振幅や周波数変化、あるいはＯＮとＯＦＦの繰り返し回数やタイミングを検出することにより、どのような指示情報が受信されたかを認識し、受信情報３６として、記憶部３０に記憶する。
【００４３】
この後、受信した情報３６の内容に基づいて、認証部２５やアプリ実行部２７などによって、利用者が機能キーを押下げたことによる指示入力に対応づけられた処理が実行される。
たとえば、受信した情報が識別情報ＲＩＤ４７の場合、認証部２５によって、受信した識別情報ＲＩＤ４７と記憶部３０に予め記憶されていた利用者情報ＭＩＤ３４との比較が行われる。両情報（ＭＩＤとＲＩＤ）が一致した場合には、レーザポインタ４の利用者は正当な使用権限を持つ者と判断され、利用者の操作により以後の処理が実行される。たとえば、次のようなファイル検索，表示処理が実行される。
【００４４】
表示部１１の画面上に複数のファイルのアイコンが表示されている場合、利用者が、開きたいファイルＦ０１のアイコンに向かってレーザ光７のスポットが当たるようにレーザポインタ４を操作し、さらに、そのファイルＦ０１の内容の表示要求を意味する実行キーを押し下げたとすると、ファイルの表示要求を意味する指示情報４８がレーザ光７に合成され、レーザポインタ４から出力される。
位置算出部２３は、このレーザ光７を検出した光センサの位置を算出すると、その検出位置の画面上に表示されているファイルが何であるかは予めわかっているので、その検出位置がファイルＦ０１の表示位置であることが認識される。また、受信情報取得部２４によって受信された情報がファイルの表示要求を意味する指示情報であると認識されると、レーザポインタで指示された位置がファイルＦ０１であることと合わせて、記憶部３０からファイルＦ０１を検索し、表示させる処理が実行される。
【００４５】
一方、両情報（ＭＩＤとＲＩＤ）が一致しなかった場合は、レーザポインタ４の利用者は正当な使用権限を持つ者でないと判断され、以後の処理は実行されない。たとえばアプリ実行処理のための指示入力操作をしたとしても、その指示入力は受け付けられない。
以上のように、レーザ光７に含まれた情報を用いて認証を行い、正当な使用権限を持つ者のみが使用を許可されるように制御してもよい。
【００４６】
このように、利用者は、表示画面上に表示された映像を見ながら、レーザポインタ４を操作し、レーザポインタから出力されたレーザ光７を、その映像の中の特定の位置に向けて照射させた後、表示映像を見ている状態でその位置にあるファイルの内容を表示させることを意味する機能キーの押下操作をする。これにより利用者が所望するファイルの内容を表示画面上に表示させることができる。
すなわち、利用者は、映像が表示されている画面とは異なるパソコン上の画面を見て、パソコンでの特別なキー操作をすることなく、表示画面を見たままの状態でレーザポインタによるレーザ光の照射と機能キーの押下という操作をするだけで、容易かつ迅速に所望のファイル表示をさせることができる。
また、機能キーを押下した後に出力されるレーザ光７に、指示情報４８や認証情報４７を含めて出力するので、利用者は映像を見たままの状態で、キー押下以外の特別な操作をすることなく、容易に利用者認証や指示入力を、ほぼ同時にすることができる。
したがって、会議やプレゼンテーションにおける利用者（説明者）の操作負担を軽減でき、会議等を円滑に進めることが可能となる。
【００４７】
＜センサモジュール及び電気信号等の説明＞
図３に、この発明のセンサモジュールの一実施例の説明図を示す。
センサモジュール１２は、光センサＰｘｙをマトリクス状に配置したものである。
図３では、Ｘ軸（横軸）方向にｎ個の光センサを配列し、Ｙ軸（縦軸）方向にｍ個の光センサを配列している。光センサＰｘｙに光が当たると、電気信号（Ｓｘ，Ｓｙ）が生成される。
たとえば、Ｘ座標Ｘｉ，Ｙ座標Ｙｊで示される位置（Ｘｉ，Ｙｊ）にある光センサＰｉｊに、レーザ光７が当たると電気信号（Ｓｘｉ，Ｓｙｊ）が生成される。電気信号は、Ｘ座標信号ＳｘｉとＹ座標信号Ｓｙｉとからなり、位置算出部２３と受信情報取得部２４に出力される。
【００４８】
図４に、表示装置１が液晶表示装置（ＬＣＤ）の場合の概略説明図を示す。
図４は断面図で、ＬＣＤの一部分を示している。
ＬＣＤ１は、主として液晶層９２と、バックライト９４と、光センサ９１と、遮光層９３とから構成される。
ＬＣＤ１の表示画面１３の近傍に液晶層９２が設けられ、液晶層９２とバックライト９４との間に、微小な光センサ９１が配置される。
光センサ９１とバックライト９４との間に、バックライトの光が光センサ９１に受光されないようにするために、遮光層９３を設ける。
【００４９】
レーザ光７は、図４に示すように、図の上方の表示画面外から入射し、液晶層９２を透過して、光センサ９１に受光される。
レーザ光７は、十分な出力があるので、液晶層９２の状態がどのような状態でも、液晶層を透過し、光センサの配置されたセンサモジュールまで到達する。
【００５０】
図５に、図３に示した光センサから出力される電気信号の一実施例の説明図を示す。
ここで、横軸を時間とし、縦軸を電気信号の大きさとする。
図５（ａ）は、受光したレーザ光７に情報が含まれず、変調されていない場合に出力される電気信号を示している。
この場合、一定時間または連続的に、一定振幅のＯＮ状態の電気信号が出力される。利用者が表示画面に表示された映像を単にレーザ光で指し示す場合は、情報を含まないレーザ光が出射され、図５（ａ）のような電気信号（Ｓｘ，Ｓｙ）が検出される。
【００５１】
図５（ｂ）は、受光したレーザ光７に、識別情報ＲＩＤ４７を含む場合の電気信号の一実施例を示している。
この場合、電気信号は、識別情報ＲＩＤ４７に対応したＯＮ状態とＯＦＦ状態の繰り返し信号として検出される。
受信情報取得部２４は、このＯＮ状態とＯＦＦ状態の変化の様子を検出することにより、もとの識別情報ＲＩＤ４７を再生する。
【００５２】
図５（ｃ）は、受光したレーザ光７に、識別情報ＲＩＤ４７と指示情報４８の両方を含む場合を示している。
図５（ｃ）では、ＯＮとＯＦＦの状態変化の前半部分が識別情報ＲＩＤ４７であり、後半部分が指示情報４８の場合を示している。
レーザ光に合成される情報の合成規則、すなわちＯＮ状態とＯＦＦ状態の変化の規則を予め定めておき、その合成規則を表示制御装置に記憶し、記憶された合成規則と、出力された電気信号とを比較することにより、これらの２つの情報（４７，４８）を取り出すことができる。
【００５３】
図５（ｃ）では、２つの情報をレーザ光７に含めた場合の電気信号の例を示したが、これに限るものではない。
３つ以上の情報を含めることもでき、またそれらの情報を含める順序も問わない。
また、前記したように、指示情報４８には複数種類の情報があるが、受信される可能性のあるすべての指示情報について、ＯＮ状態とＯＦＦ状態の変化のパターンを記憶部３０に予め記憶しておき、この変化パターンと、受信した電気信号の変化パターンとを比較することにより、どの指示情報４８が受信されたかを認識することができる。
【００５４】
図６に、この発明のレーザポインタ４に備えられる機能キーの一実施例を示す。
図６では、８つのキー（Ｋ０〜Ｋ７）を示しているが、これに限るものではなく、キーの数，配置，形状などは種々のものが考えられる。
キーＫ０：レーザ光出力キー
キーＫ１：実行キー
キーＫ２：メニューキー（メニュー一覧表示）
キーＫ３：上方向スクロールキー
キーＫ４：下方向スクロールキー
キーＫ５：黒ペン入力モードキー
キーＫ６：赤ペン入力モードキー
キーＫ７：入力消去キー
【００５５】
レーザ光出力キーＫ０は、レーザ光７の出力開始および停止の指示をするためのキーである。レーザ光７をすでに出力している状態でこのキーＫ０を押下げると、レーザ光７の出力を停止させる。また、レーザ光の出力停止状態でこのキーＫ０を押下ると、レーザ光７の出力を開始させる。
ただし、キーＫ１〜Ｋ７を押下げることによりレーザ光の出力開始を兼ねている場合は、レーザ光出力キーＫ０はなくてもよい。また、レーザ光出力開始キーと、レーザ光出力停止キーとを別々に設けてもよい。
キーＫ１は、選択された機能項目の機能を実行させるためのキーである。たとえば、レーザ光７が照射されている表示画面上の位置に、ファイルＦＬ００１が表示されている場合に、キーＫ１を押下げると、その押下操作をそのファイルＦＬ００１を開く指示であると判断し、ファイルＦＬ００１の検索および表示処理を実行させる。
【００５６】
キーＫ２は、利用者が利用できる機能項目（メニュー）を一覧表示させるキーであり、たとえば、一般的によく利用されているマウスの右ボタンに相当するキーである。
たとえば、キーＫ２を押下げると、利用できる機能項目のリストを表示させる。
利用者がキーＫ２を押下げ、機能項目を表示させた状態で、スクロールキー（Ｋ３またはＫ４）を用いて、カーソル表示を移動させ所望の機能項目を選択し、実行キーＫ１を押下げることにより、その選択された機能項目の機能が実行される。
この場合、キーＫ２，キーＫ３，Ｋ４あるいはＫ１を押下げるごとに、それぞれのキーに対応づけられた指示情報４８が、レーザ光７に合成されて出力される。
キーＫ５，Ｋ６およびＫ７は、後述するように、表示画面上の映像に重ねて、レーザ光７を利用して文字や図形等を入力するモードに切替えるときに利用するキーである。
キーＫ５あるいはＫ６が押下げられたとき、ペンモード切替指示情報がレーザ光に合成されて出力され、レーザ光の照射位置に点画像が表示される。
【００５７】
＜実施例１＞
図７に、この発明の表示処理の一実施例のフローチャートを示す。
ここでは、予め設定され記憶部３０に記憶されていたオブジェクトを表示部１１に表示させ、説明者を特定する情報を記録する実施例を説明する。
この実施例では、ある会議において、説明者Ａがレーザポインタを用いて表示画面に表示された資料について説明をしているときに、その表示資料に、レーザポインタで何らかの書き込み（たとえば、文字，下線，図形など）を行ったとする。
また、その書き込み時にレーザポインタから出射されているレーザ光７の中に、説明者Ａ（利用者）を特定する識別情報４７が含まれているものとする。
【００５８】
ステップＳ１０１において、Ｙ座標の位置を示す変数Ｙを初期化する。すなわち、変数Ｙに初期値１を代入し、終値を７００に、増分を１に設定する。
ステップＳ１０２において、Ｘ座標の位置を示す変数Ｘを初期化する。たとえば、変数Ｘに初期値１を代入し、終値を１０００に、増分を１に設定する。
この後、設定された変数（Ｘ，Ｙ）で、ステップＳ１０３からＳ１０７を実行する。
また、ステップＳ１０８とＳ１０９のループ端において、変数ＸとＹに増分１を加算し、変数（Ｘ，Ｙ）がそれぞれ終値となるまで、ループ端の開始（Ｓ１０１，Ｓ１０２）とループ端の終了（Ｓ１０８，Ｓ１０９）との間のステップＳ１０３からＳ１０７までの処理を繰り返す。
【００５９】
ステップＳ１０３において、レーザポインタ４からのレーザ光７が検出されるか否かチェックする。たとえば、位置検出部２３が、レーザ光検出部１２（センサモジュール）の座標（Ｘ，Ｙ）の位置にある光センサから電気信号が受信されたか否かによってチェックすることができる。
レーザ光７が検出され電気信号が受信された場合、ステップＳ１０４へ進み、そうでない場合はステップＳ１０８へ進む。
【００６０】
ステップＳ１０４において、座標（Ｘ，Ｙ）の光センサで受光したレーザ光７から、利用者を特定する識別情報４７を取得する。たとえば、図５（ｂ）に示すような電気信号が受信された場合は、識別情報（ＲＩＤ）４７が抽出される。
【００６１】
この識別情報４７は、説明者ごとに異なる情報として、記憶部３０に予め記憶されている利用者情報ＭＩＤ３４に相当する。また、この実施例では、各識別情報４７に予め設定された所定のオブジェクト画像（以下、オブジェクトとも呼ぶ）が対応づけられて、記憶部３０に記憶されているものとする。
オブジェクト画像とは、表示画面上に表示されるマウスカーソルなどの図形データを意味し、その図形データの形状，色，大きさなどを示す情報から構成される。また、オブジェクトは利用者ごとに異なる図形データとし、たとえば、その形状，色，大きさのいずれか一つ以上が異なるものとする。
【００６２】
ステップＳ１０５において、取得された識別情報４７に対応するオブジェクトを選択する。
たとえば、説明者Ａの識別情報Ｉａが取得された場合、記憶部３０に予めこの識別情報Ｉａに対応付けて記憶されているオブジェクトを選択する。
【００６３】
ステップＳ１０６において、選択したオブジェクトを、レーザ光が検出された座標（Ｘ，Ｙ）の位置あるいはその座標（Ｘ，Ｙ）を含む所定の領域に表示させる。
ステップＳ１０７において、現在注目している位置の座標（Ｘ，Ｙ）の値（位置情報）と、取得した識別情報４７とを対応づけて、記憶部３０に記憶する。また、同時に現在の時刻も、対応づけて記憶してもよい。さらに、識別情報４７そのものではなく、識別情報から取得した利用者を特定する情報（たとえば後述する実施例３の利用者名）を記憶してもよい。
このように、説明者ごとに異なる識別情報４７をレーザ光に含めることにより、会議の円滑な進行をそこなうことなく、書き込みをした人物を特定する情報を書き込み情報とともに記録することができ、会議終了後において有効な会議記録を作成することができる。
【００６４】
＜実施例２＞
図８に、実施例２におけるオブジェクト選択処理のフローチャートを示す。
ここでは、予め設定されたオブジェクトを選択するのではなく、異なる識別情報４７を取得するごとに異なるオブジェクトを選択する実施例について説明する。この場合、実施例１のように、説明者の識別情報４７とオブジェクトとを予め対応づけて記憶しておく必要はない。
【００６５】
ただし、たとえば図９に示すオブジェクトリストのように、取得された順番を示す数値と、オブジェクトの図形データとを対応付けて、記憶部３０に予め記憶しておく。
たとえば、オブジェクトリストの１番目（矢印）は、１番目に取得された識別情報４７に対応づけられるべき図形データを意味し、一度識別情報と図形データとが対応づけられると、その後の同じ識別情報４７を含むレーザ光による書き込み時には、これと同じ図形データが用いられる。
また、２番目のオブジェクトの図形データ（指形状）は、２番目に取得された識別情報４７と対応づけられるべき図形データを意味する。
【００６６】
また、図１０は、対応づけられた後の識別情報リストの例を示している。たとえば、一番目に取得された識別情報４７が、「ＸＸＸＹＹＹＺＺＺ」であった場合、その取得された順番の数値と、この識別情報４７とを対応づけて記憶部３０に記録する。
この後、同じ識別情報４７が取得された場合は、これに対応づけられた取得番号のオブジェクトの図形データが用いられる。
また、この実施例では、取得された順番の数値を特定するために、カウンタＣを用いる。カウンタＣは、表示制御装置２の電源投入時や、会議における開始時などに、予めゼロに初期化しておく。
【００６７】
図８のステップＳ２０１からＳ２０４は、図７のステップＳ１０５の処理に相当する。
図７の他のステップの処理は、同様に実行される。すなわち、実施例２では、ステップＳ１０４の後、ステップＳ２０１が実行される。
ステップＳ２０１において、取得した識別情報４７が初めて取得したものか、あるいは、すでに取得したものかをチェックする。ここで、取得した識別情報４７が図１０に示した識別情報リストの中にすでに存在するか否か、チェックする。
【００６８】
ステップＳ２０２において、取得した識別情報４７が初めてのものである場合、カウンタＣに１を加算する。
ステップＳ２０３において、現在のカウンタＣの値に対応する順番のオブジェクト図形データを、図９から選択する。たとえば、カウンタＣの値が２のとき、順番を示す数値２に予め対応づけられていた図形データが選択される。
【００６９】
ステップＳ２０４において、取得した新しい識別情報を、取得された順番（カウンタＣの値）とともに、記憶部３０に、追加記憶する。たとえば、カウンタＣ＝２のときに新たに取得された識別情報「ＡＢＣＡＢＣ」は、図１０に示すように、取得された順番の数値とともに、識別情報リストに記憶される。
【００７０】
一方、ステップＳ２０１で、取得された識別情報がすでに取得されていたものと同一である場合、ステップＳ２０５において、すでに識別情報リストに記憶されているその識別情報の取得された順番に対応するオブジェクト図形データを、選択する。
この実施例では、表示されるオブジェクトは、レーザポインタを使用する説明者の順序に従って定められる。たとえば、説明者Ａ，Ｂ，Ｃがいる場合、レーザポインタを使用した説明の順序が説明者Ｃ，Ｂ，Ａの順序であったとすると、これらの説明者がレーザポインタを使用して書き込みをするごとに、説明者Ｃ，Ｂ，Ａの順序で、各識別情報と表示されるオブジェクトとが対応づけられる。
【００７１】
＜実施例３＞
ここでは、書込みデータを特定するオブジェクトに加えて、説明者を特定する文字情報、すなわち利用者名を表示する実施例を示す。
上記した実施例では、オブジェクトは図形データとして説明したが、説明者が多数（たとえば１０名）の場合は、図形データのみを表示するだけでは、誰が書き込んだものかを明確に把握することは難しい。
したがって、書き込みをした者（利用者）が特に多数の場合、その者の氏名（利用者名）を表示させることが好ましい。
【００７２】
図１１に、オブジェクト図形データと利用者名とを、表示画面に表示させた説明図を示す。
図１１には、選択されたオブジェクトとして矢印を表示した例を示している。また、このオブジェクトの近傍に利用者名エリアを設け、その中に利用者名を表示させる。たとえば、図１１では、「A.Tanaka」という名前の利用者名が表示されているが、これは、説明者（A.Tanaka）が書き込んだデータであることを示したものである。
利用者名は、利用者情報ＭＩＤ３４とともに予め記憶部３０に記憶しておく。また、取得した識別情報４７と一致する利用者情報３４に対応するものを読み出して、利用者名エリアの中に表示すればよい。あるいは実施例１の場合には、オブジェクトの図形データの一部分として予め設定しておいてもよい。
これによれば、書き込まれたデータの利用者の名前がそのまま表示されるので、説明者が１人の場合でも、あるいは複数の場合でも、書き込んだ者を明確に把握できる。
【００７３】
＜実施例４＞
ここでは、利用者名を表示する他の実施例について示す。
図１２に、利用者名の表示例の説明図を示す。
図１２では、説明者Ａがレーザポインタで書き込んだ画像「本日の議題」が、表示部に表示されているものとする。
また、この画像を書き込んだときに、この画像のすべてのＸＹ座標値に対して、説明者Ａを特定する識別情報４７が付与され、記憶部３０には、ＸＹ座標値とレーザ光に含められて送られてきた識別情報４７とが記憶されるものとする。すなわち書き込まれた画像のＸＹ座標値ごとに、識別情報４７が記憶される。
また、識別情報４７は、記憶部に記憶された利用者情報３４の利用者名と予め対応づけられているものとする。
【００７４】
このように書き込み画像が表示されている状態で、説明者が、レーザポインタでその画像の１つの点Ｄ１（ドット）を指定したとする。すなわち、レーザポインタで、１つの点Ｄ１の位置を照射したとする。
図１２では、画像「の」の１つの点（Ｄ１）を指定したとする。このとき、レーザ光の照射位置である点Ｄ１のＸＹ座標は、位置算出部によって認識されるので、このＸＹ座標に対応して記憶されていた識別情報４７を読み出す。そして、読み出された識別情報４７に対応する利用者名を利用者情報３４から取得する。
この後、指定された画像「の」の近傍に、オブジェクト（矢印）とともに、取得した利用者名（たとえば、Y.Hayashi）を表示させる。
【００７５】
これによれば、説明者が、すでに書き込まれた画像のうち、所望の位置を指定することにより、その位置に表示された画像に関係づけられた利用者名を表示することができる。したがって、画像を書き込んだ直後は利用者名を表示させないが、画像を書き込んだ後いつでも必要なときに、利用者の意思によりその画像を書き込んだ者の名前を表示させて把握することができる。
また、レーザポインタによるドットの指定がなくても、表示モードの設定入力により、常に利用者名を表示するようにしてもよく、利用者名の表示の有無を切りかえるようにしてもよい。
【図面の簡単な説明】
【００７６】
【図１】この発明の表示システムの一実施例の構成ブロック図である。
【図２】この発明の表示システムの一実施例の利用形態の説明図である。
【図３】この発明の表示装置のセンサモジュールの説明図である。
【図４】この発明の表示装置の構造の一実施例の説明図である。
【図５】この発明の光センサから出力される電気信号の一実施例の説明図である。
【図６】この発明のレーザポインタの一実施例の説明図である。
【図７】この発明の表示処理の一実施例のフローチャートである。
【図８】この発明の実施例２のオブジェクト選択処理のフローチャートである。
【図９】この発明のオブジェクトリストの一実施例の説明図である。
【図１０】この発明の識別情報リストの一実施例の説明図である。
【図１１】この発明の表示画面に表示されるオブジェクト図形データの一実施例の説明図である。
【図１２】この発明の利用者名の表示例の説明図である。
【符号の説明】
【００７７】
１  表示装置
２  表示制御装置
４  レーザポインタ（光出射装置）
５  ＩＣカード
６  無線通信
７  レーザ光
１１  表示部
１２  レーザ検出部（センサモジュール）
２１  表示制御部
２２  出力情報生成部
２３  位置算出部
２４  受信情報取得部
２５  認証部
２６  ファイル検索部
２７  アプリ実行部
３０  記憶部
３１  ファイル情報
３２  表示データ
３３  アプリケーションプログラム
３４  利用者情報ＭＩＤ
３５  認証情報ＦＩＤ
３６  受信情報
４１  レーザ出力部
４２  情報合成部
４３  指示入力部
４４  情報抽出部
４５  通信部
４６  メモリ部
４７  識別情報ＲＩＤ
４８  指示情報
５１  カード通信部
５２  識別情報ＲＩＤ記憶部
【図１】
2009251736.tif 000003
【図２】
2009251736.tif 000004
【図３】
2009251736.tif 000005
【図４】
2009251736.tif 000006
【図５】
2009251736.tif 000007
【図６】
2009251736.tif 000008
【図７】
2009251736.tif 000009
【図８】
2009251736.tif 000010
【図９】
2009251736.tif 000011
【図１０】
2009251736.tif 000012
【図１１】
2009251736.tif 000013
【図１２】
2009251736.tif 000014